(57)【要約】【課題】  搬出量が少量の場合であっても、大量の場合と同様に搬出することが可能で、かつ、構造の簡素化を図った穀粒搬出装置を提供する。【解決手段】  穀粒搬出口９に向けて穀粒タンクから穀粒を搬送するスクリュウ式搬出装置８を設けるとともに、穀粒搬出口９に穀粒漏れを防止する開閉蓋１２を設ける。トーションスプリング１７の付勢力に抗して開閉蓋１２を開き姿勢に切り換えるギヤ式開閉手段Ａを設ける。開閉手段Ａを、グリスを介して搬出装置８に連係し、搬出装置の作動時に開閉蓋１２を開き姿勢に切り換えるべく構成してある。【選択図】        図２
2008054650.tif 000002
【特許請求の範囲】
【請求項１】
穀粒搬出口に向けて穀粒タンクから穀粒を搬送する搬出装置を設けるとともに、穀粒搬出口に穀粒漏れを防止する開閉蓋を設けてある穀粒搬出装置であって、
前記開閉蓋を閉塞姿勢に付勢する付勢手段を設けるとともに、前記付勢手段の付勢力に抗して開閉蓋を開き姿勢に切り換える開閉手段を設け、前記開閉手段を粘性連係手段又は摩擦連係手段を介して前記搬出装置に連係し、前記搬出装置の作動時に前記開閉蓋を開き姿勢に切り換えるべく構成してある穀粒搬出装置。
【請求項２】
前記開閉手段として、前記搬出装置に連係する出力回転体と前記開閉蓋に連係する入力回転体とを動力伝達可能な状態で備え、前記搬出装置の出力軸にベアリングを介して出力回転体を取付け、前記ベアリングに前記粘性連係手段を構成するグリスが封入してある請求項１記載の穀粒搬出装置。
【発明の詳細な説明】
【技術分野】
【０００１】
本発明は、穀粒搬出口に向けて穀粒タンクから穀粒を搬送する搬出装置を設けるとともに、穀粒搬出口に穀粒漏れを防止する開閉蓋を設けてある穀粒搬出装置穀粒搬出装置に関する。
【背景技術】
【０００２】
穀粒搬出口に開閉蓋を設けるに、横送りスクリュウの穀粒搬出口に臨む延長部にスライド自在に開閉蓋を外嵌装着し、開閉蓋を前記延長部に外嵌してコイルバネによって閉じ側に付勢する状態に設けていた（特許文献１参照）。
【０００３】
【特許文献１】実開昭６３−１６９８４５号公報（図１）
【発明の開示】
【発明が解決しようとする課題】
【０００４】
上記した構成のように、バネの付勢力に抗して穀粒を搬出する構成のものにおいては、搬出量が小量の場合には搬出されないことが多く、バネの付勢力を小量の搬出量に対応したものに設定することが難しい面があった。
【０００５】
本発明の目的は、搬出量が少量の場合であっても、大量の場合と同様に搬出することが可能で、かつ、構造の簡素化を図った穀粒搬出装置を提供する点にある。
【課題を解決するための手段】
【０００６】
〔構成〕
請求項１に係る発明の特徴構成は、前記開閉蓋を閉塞姿勢に付勢する付勢手段を設けるとともに、前記付勢手段の付勢力に抗して開閉蓋を開き姿勢に切り換える開閉手段を設け、前記開閉手段を粘性連係手段又は摩擦連係手段を介して前記搬出装置に連係し、前記搬出装置の作動時に前記開閉蓋を開き姿勢に切り換えるべく構成してある点にあり、その作用効果は次の通りである。
【０００７】
〔作用〕
基本的な構成としては、開閉蓋を閉塞姿勢に付勢する付勢手段を設けている。そして、その付勢手段の付勢力に抗して開閉蓋を開き姿勢に切り換えるのに、開閉蓋を開き状態に切り換える開閉手段を穀粒の搬出装置に連係することとした。このことによって、開閉蓋は搬出装置が作動するとその作動に対応して、粘性連係手段又は摩擦連係手段を介して切換力を受けて開き姿勢に切り換わる。つまり、開閉蓋は搬出穀粒量に関係なく、搬出装置の作動に連動して開き姿勢に切り換わることとなる。尚、粘性連係手段又は摩擦連係手段としては、付勢手段の付勢力に抗するだけの粘性力又は摩擦力を発揮することが必要である。
ただし、搬出装置と開閉手段とは粘性連係手段又は摩擦連係手段によって連係されているので、開閉蓋が開き姿勢に至った状態においても搬出装置での搬出状態が継続されている場合には、粘性連係手段又は摩擦連係手段において滑りを生じて、開閉蓋に無理な開き力を作用させない。
次に搬出装置が停止すると開閉蓋に切換力が伝達されなくなるので、付勢手段の付勢により開閉蓋は閉塞姿勢に切り換わる。
【０００８】
〔効果〕
以上のような構成によって、付勢手段によって開閉蓋を閉塞姿勢に戻す構成を踏襲しながら、開閉蓋を開閉切換操作する開閉手段を、穀粒を搬出する搬出装置に連係する構成を採用することによって、搬出量が小量であっても開閉蓋を開き操作することができ、搬出性能の向上を図ることができた。
しかも、開閉蓋を駆動する駆動系内に粘性連係手段又は摩擦連係手段を導入することによって、粘性連係手段又は摩擦連係手段は付勢手段の付勢力に対抗できるだけの粘性力又は摩擦力を発揮できるものであれば、開閉蓋を開き姿勢に切り換えることに支障はなく、その上に、開閉蓋が開き切った状態に至った場合に依然として搬出装置の搬出作動が継続されていても、粘性連係手段又は摩擦連係手段が滑りを生じて、開閉蓋を無理に開き作動させることはない。
【０００９】
請求項２に係る発明の特徴構成は、請求項１に係る発明において、前記開閉手段として、前記搬出装置に連係する出力回転体と前記開閉蓋に連係する入力回転体とを動力伝達可能な状態で備え、前記搬出装置の出力軸にベアリングを介して出力回転体を取付け、前記ベアリングに前記粘性連係手段を構成するグリスが封入してある点にあり、その作用効果は次の通りである。
【００１０】
〔作用効果〕
つまり、搬出装置と開閉蓋とを連係するに、動力伝達可能な出力回転体と入力回転体とで構成することによって、専用のモータ等を使用する場合に比べて安価に構成できるとともに、出力回転体を支持するベアリングに使用されるグリスの粘度を効果的に設定することによって、搬出装置と出力回転体とを連係する粘性連係力を発揮する。開閉蓋が開き切った状態にあっては、滑り機能を発揮することとなり、開閉蓋に無理な開き力を作用させることなく搬出装置の作動を継続することができることとなり、開閉蓋の開きストロークを任意に設定できるものとなっている。
【発明を実施するための最良の形態】
【００１１】
コンバインは、図１に示すように、クローラ式走行装置１を備えた走行機体２の前端に刈取前処理部３を配置するとともに、走行機体２の右横側部に脱穀後の穀粒を貯留する穀粒タンク４を搭載して構成されている。
【００１２】
図１に示すように、穀粒タンク４には排出用の底スクリュウ４Ａが設けてあり、穀粒タンク４の後面の下端に底スクリュウ４Ａの排出口を設ける。穀粒タンク４の後面には、縦送りスクリュウコンベア５が取り付けてあり、縦送りスクリュウコンベア５を穀粒タンク４の後面の下端に設けたベベルギヤ連結ケース６を介して底スクリュウ４Ａの排出口に接続してある。
【００１３】
図１に示すように、コンバインにおいては、縦送りスクリュウコンベア５の上端には旋回筒７を設けてあり、旋回筒７の横側面に上下揺動自在に横送りスクリュウコンベア８が取り付けられて、旋回筒７の内部空間を通して縦送りスクリュウコンベア５が持上げ搬送した穀粒を横送りスクリュウコンベア８に受け渡すべく構成してある。
図１に示すように、横送りスクリュウコンベア８の先端部には、横送りスクリュウコンベア８で送られる穀粒を機外に搬出するための穀粒搬出口９が設けられている。
ここに、縦送りスクリュウコンベア５と横送りスクリュウコンベア８とを穀粒搬出装置と称する。
【００１４】
図１及び図２に示すように、縦送りスクリュウコンベア５と横送りスクリュウコンベア８には穀粒を搬送する縦送りスクリュウ５Ａ、横送りスクリュウ８Ａが設けてある。縦送りスクリュウ５Ａは、ベベルギヤ連結ケース６において底スクリュウ４Ａとベベルギヤ連動され、横送りスクリュウ８Ａは、旋回筒７において縦スクリュウ５Ａとベベルギヤ連動されている。
【００１５】
底スクリュウ４Ａは穀粒タンク４から運転席側に突出した伝動軸に入力プーリ１０を設けてあり、エンジンからの動力を受けるように構成してある。運転部には操作レバー（図示せず）があり、エンジン動力を入切するクラッチ機構に対する操作が可能となっている。したがって、操作レバーによって、底スクリュウ４Ａ、縦送りスクリュウ５Ａ、横送りスクリュウ８Ａを駆動して、穀粒を穀粒搬出口９より機外に搬出可能である。
【００１６】
穀粒搬出口９での構造について説明する。図２に示すように、横送りスクリュウ８Ａを搬送ケース８Ｂ内に収納するとともに、横送りスクリュウ８Ａの先端部を搬送ケース８Ｂに取り付けたベアリング１１で回転自在に支持してある。搬送ケース８Ｂの先端部には、下向き開口の筒状体８Ｃが連設されており、筒状体８Ｃの下端開口部分が穀粒搬出口９を構成する。
【００１７】
図２及び図３に示すように、搬送ケース８Ｂの下端部には、横送りスクリュウ８Ａと平行に揺動軸１２Ａが架設され、その揺動軸１２Ａに一体揺動する状態で開閉蓋１２が取り付けてある。この開閉蓋１２が閉じ操作されることによって、穀粒搬出口９より穀粒の搬出が阻止される。
【００１８】
開閉蓋１２の開閉手段Ａについて説明する。図２及び図３に示すように、横送りスクリュウ８Ａを搬送ケース８Ｂより突出させるとともに、横送りスクリュウ８Ａの突出軸部８ａにベアリング１３を外嵌装着し、外嵌装着したベアリング１３の更に外側に出力回転体としての出力ギヤ１４を取り付け固定してある。
ベアリング１３と出力ギヤ１４との間にワンウエイクラッチ１６を設けて、横送りスクリュウ８Ａが搬出方向に回転する場合には出力ギヤ１４を回転させ、出力ギヤ１４が搬出方向と反対方向に回転する場合にはベアリング１３、及び、横送りスクリュウ８Ａには動力伝達が行われない。
ベアリング１３としては、内外輪の間に多数のボールが介在された玉軸受、又は、コロが介在されたコロ軸受が採用されるが、内外輪の間にはグリースが封入されて、内外輪の相対回転に粘性抵抗を付与すべく構成してある。
【００１９】
一方、開閉蓋１２を取り付けた揺動軸１２Ａも横送りスクリュウ軸８Ａの突出軸部８ａと同様に搬送ケース８Ｂより突出させて突出軸部１２ａを構成し、突出軸部１２ａに入力回転体としての扇型状の入力ギヤ１５が取り付けてある。開閉蓋側の入力ギヤ１５と横送りスクリュウ側の出力ギヤ１４とを咬合状態に取り付けてある。
【００２０】
前記したベアリング１３に封入されたグリスについては、内外輪の間に介在されるボールの転動を助ける潤滑剤として機能させるのが通常の使用形態であるが、ここでは、敢えて、潤滑性の低い転動に対する抵抗の高いものを使用する。このことによって、突出軸部８ａとベアリング１３との相対回動を抑制して、後記するように、閉塞姿勢に付勢された開閉蓋１２を開き状態に駆動する連係力を発揮させることができる。ここに、グリスを、横送りスクリュウ軸８Ａの突出軸部８ａからベアリング１３を介して取付られている出力ギヤ１４に動力伝達する粘性連係手段と称する。
【００２１】
一方、開閉蓋１２の揺動軸１２Ａの突出軸部１２ａには、搬送ケース８Ｂとの間に架け渡されるトーションスプリング１７が設けてあり、このトーションスプリング１７の戻り力により開閉蓋１２を閉塞姿勢に付勢することができる。このトーションスプリング１７を、開閉蓋１２を閉塞姿勢に付勢する付勢手段と称する。
【００２２】
以上のような構成により、付勢手段の付勢力に抗して開閉蓋１２を開き状態に切り換えるのは、穀粒搬出装置を駆動作動させることによって、行うことができる。つまり、横送りスクリューコンベア８を駆動すると、横送りスクリュウ軸８Ａ、突出軸部８ａ、ベアリング１３、グリス（粘性連係手段）、出力ギヤ１４、入力ギヤ１５、突出軸部１２ａ、揺動軸１２Ａに駆動力が伝達されて、開閉蓋１２が開き作動する。この場合にグリス（粘性連係手段）の連係力は、付勢手段の付勢力を上回るものとする。
【００２３】
但し、開閉蓋１２が開き切った後に、穀粒搬出装置が搬送状態を維持している状態では、今度はグリス（粘性連係手段）が滑りを生じて、出力ギヤ１４は回転しない。
横送りスクリュウ８Ａが停止すると、出力ギヤ１４が停止する。そうすると、入力ギヤ１５に駆動力が伝達されず、付勢手段による戻し力が機能することとなる。つまり、トーションスプリング１７の戻し付勢力によって、開閉蓋１２と揺動軸１２Ａ、及び、入力ギヤ１５、出力ギヤ１４とが逆方向に回転して、開閉蓋１２が閉塞姿勢に切り換わる。
この場合に、出力ギヤ１４が逆方向に回転するが、ワンウエイクラッチ１６の働きによって、ベアリング１３、及び、横送りスクリュウ８Ａには動力伝達はされない。
【００２４】
ここで、グリスによる粘性抵抗力とトーションバネ１７による付勢力との関係について説明する。
横送りスクリュウ８Ａが駆動されて開閉蓋１２が開き状態に切り換わるには、グリスによる粘性抵抗力がトーションバネ１７の付勢力を上回る必要がある。
反対に、トーションバネ１７の付勢力で開閉蓋１２を戻して閉塞姿勢に切り換えるには、トーションバネ１７の付勢力がグリスによる粘性抵抗力を下回っているので、グリスの粘性抵抗力を解除する構造の導入が必要である。
【００２５】
そこで、導入されたのが、ワンウエイクラッチ１６であり、このワンウエイクラッチ１６をベアリング１３と出力ギヤ１４との間に介在させることによって、グリスによる粘性抵抗力に拘わらずトーションバネ１７の付勢力のみで開閉蓋１２を閉じ姿勢に戻すことができる。
【００２６】
〔別実施形態〕
（１）  摩擦連係手段として次ぎのようなものを提示する。図４に示すように、横送りスクリュウ８Ａの突出端部８ａに出力回転体１４を設けるが、出力回転体１４として、突出端部８ａに遊嵌される回転基端部１４Ａと、回転基端部１４Ａに外嵌されるワンウエイクラッチ１４Ｂと、ワンウエイクラッチ１４Ｂに外嵌されるギヤ部１４Ｃとで構成する。回転基端部１４Ａに対して圧接する摩擦多板機構１８Ａを設け、この摩擦多板機構１８Ａを押し付け保持する保持ディスク１８Ｂを突出端部８ａに取り付け固定してある。
以上のような構成によって、摩擦連係手段１８を構成する。
（２）  出力回転体１４と入力回転体１５とを、スプロケットやプーリで構成してもよい。
（３）  開閉蓋１２を閉塞姿勢に付勢する手段としてトーションスプリング１７を利用したが、コイルスプリングを使用してもよい。
（４）  搬出装置としてスクリュウ式のものを使用したが、空気輸送式のもの、又は、バケットコンベア式のもの等他の形式のものが使用可能である。
【図面の簡単な説明】
【００２７】
【図１】コンバインの全体側面図
【図２】横送りスクリュウコンベアの先端に形成した穀物搬出口に、開閉蓋と開閉手段とを設けた状態を示す縦断側面図
【図３】図２における背面図で、（イ）は開閉蓋を閉塞姿勢にした状態、（ロ）は開閉蓋を開き姿勢に切り換えた状態
【図４】摩擦連係手段を示す縦断側面図
【符号の説明】
【００２８】
４            穀粒タンク
５、８        搬出装置
９            穀粒搬出口
１２          開閉蓋
１３          ベアリング
１４          出力回転体（出力ギヤ）
１５          入力回転体（入力ギヤ）
１７          付勢手段（トーションスプリング）
１８          摩擦連係手段
Ａ            開閉手段
【図１】
2008054650.tif 000003
【図２】
2008054650.tif 000004
【図３】
2008054650.tif 000005
【図４】
2008054650.tif 000006